(57)【要約】  画像処理装置は、フック部品を含むピアスが表されたピアス画像を取得するピアス画像取得部と、少なくとも耳が表された領域を含む頭部画像を取得する頭部画像取得部と、ピアス画像におけるフック部品の先端方向を特定するピアス画像特定手段と、頭部画像における頭部の後方を特定する頭部画像特定手段と、ピアス画像における先端方向が頭部画像における頭部の後方を向くように、ピアス画像を頭部画像に重畳する重畳部と、ピアス画像が重畳された頭部画像を出力する出力部と、を備える。これにより、ピアスが実際に耳に装着された状態により近い画像が出力される。
2014103048.tif 000002
【特許請求の範囲】
【請求項１】
人の耳に装着するためのフック部品を含むピアスが表されたピアス画像を取得するピアス画像取得手段と、
少なくとも耳が表された領域を含む頭部画像を取得する頭部画像取得手段と、
前記ピアス画像における前記フック部品の先端方向を特定するピアス画像特定手段と、
前記頭部画像における頭部の後方を特定する頭部画像特定手段と、
前記ピアス画像における先端方向が前記頭部画像における頭部の後方を向くように、前記ピアス画像を前記頭部画像に重畳されるように表示するために、前記ピアス画像及び前記頭部画像を出力する出力手段と、
を備える画像処理装置。
【請求項２】
前記ピアス画像が一対のピアスの画像を表している場合に、
前記出力手段は、前記ピアス画像に表された一対のピアスの画像のうち、ピアス画像におけるフック部品の先端方向が、頭部画像における顔の後方向に略一致しているピアスの画像を前記頭部画像に重畳させるための画像として選択する、
請求項１に記載の画像処理装置。
【請求項３】
前記ピアス画像が一個のピアスの画像を表している場合に、
前記出力手段は、
前記ピアス画像に表されたピアスの画像におけるフック部品の先端方向が、頭部画像における頭部の後方向に略一致している場合には、前記ピアスの画像を前記頭部画像に重畳させるための画像として出力し、
前記ピアス画像に表されたピアスの画像におけるフック部品の先端方向が、頭部画像における頭部の後方向に略一致していない場合には、前記ピアスの画像の左右を反転させた反転画像を前記頭部画像に重畳させるための画像として出力する、
請求項１または２に記載の画像処理装置。
【請求項４】
前記フック部品は、耳たぶに貫通させるための先端部を有するフック形状を有し、
前記出力手段は、前記フック部品における、装着時において耳に接する装着点を特定し、該フック部品における前記装着点より先端部側の部分の画像が削除されたピアスの画像を前記頭部画像に重畳させるための画像として出力する、
請求項１〜３のいずれか１項に記載の画像処理装置。
【請求項５】
前記出力手段は、前記ピアス画像のピアスが表された領域における最も上方の部分を前記装着点として特定する、
請求項４に記載の画像処理装置。
【請求項６】
ピアス画像特定手段は、
前記ピアス画像におけるピアスが表された領域の最上点と、該最上点から所定寸法下方に位置する点とを結ぶ線分により、前記ピアスが表された領域が分割された場合に、前記フック部品の方向の特定を実施し、
前記線分により、前記ピアスが表された領域が分割されなかった場合に、前記フック部品の方向の特定を実施しない、
請求項１〜５のいずれか１項に記載の画像処理装置。
【請求項７】
前記出力手段は、ピアスの前記フック部品が装着される部分の特徴を示すテンプレートを用いて前記頭部画像を探索することにより、頭部画像における前記フック部品が装着される部分を特定し、前記フック部品が前記頭部画像におけるフック部品が装着される部分に位置するように、前記ピアス画像を前記頭部画像に重畳する、
請求項１〜６のいずれか１項に記載の画像処理装置。
【請求項８】
コンピュータにより実行される画像処理方法であって、
人の耳に装着するためのフック部品を含むピアスが表されたピアス画像、及び少なくとも耳が表された領域を含む頭部画像を取得する取得ステップと、
前記ピアス画像における前記フック部品の先端方向を特定するピアス画像特定ステップと、
前記頭部画像における頭部の後方を特定する頭部画像特定ステップと、
前記ピアス画像における先端方向が前記頭部画像における頭部の後方を向くように、前記ピアス画像を前記頭部画像に重畳されるように表示するために、前記ピアス画像及び前記頭部画像を出力する出力ステップと、
を有する画像処理方法。
【請求項９】
コンピュータに、
人の耳に装着するためのフック部品を含むピアスが表されたピアス画像を取得するピアス画像取得機能と、
少なくとも耳が表された領域を含む頭部画像を取得する頭部画像取得機能と、
前記ピアス画像における前記フック部品の先端方向を特定するピアス画像特定機能と、
前記頭部画像における頭部の後方を特定する頭部画像特定機能と、
前記ピアス画像における先端方向が前記頭部画像における頭部の後方を向くように、前記ピアス画像を前記頭部画像に重畳されるように表示するために、前記ピアス画像及び前記頭部画像を出力する出力機能と、
を実現させる画像処理プログラム。
【請求項１０】
画像処理プログラムを記憶するコンピュータ読み取り可能な記録媒体であって、
コンピュータに、
人の耳に装着するためのフック部品を含むピアスが表されたピアス画像を取得するピアス画像取得機能と、
少なくとも耳が表された領域を含む頭部画像を取得する頭部画像取得機能と、
前記ピアス画像における前記フック部品の先端方向を特定するピアス画像特定機能と、
前記頭部画像における頭部の後方を特定する頭部画像特定機能と、
前記ピアス画像における先端方向が前記頭部画像における頭部の後方を向くように、前記ピアス画像を前記頭部画像に重畳されるように表示するために、前記ピアス画像及び前記頭部画像を出力する出力機能と、
を実現させるコンピュータ読み取り可能な記録媒体。
【発明の詳細な説明】
【技術分野】
【０００１】
本発明は、画像処理装置、画像処理方法、画像処理プログラム及びそのプログラムを記録するコンピュータ読み取り可能な記録媒体に関する。
【背景技術】
【０００２】
アクセサリ等の人が身につけて使用するアイテムの画像を、人の画像に合成して表示する技術が知られている（例えば、非特許文献１参照）。この技術では、選択されたアクセサリの画像がユーザの画像に重畳して表示される。
【先行技術文献】
【非特許文献】
【０００３】
【非特許文献１】ＶＩＥＷＴＲＹ、[online]、［２０１２年１２月１７日検索］、インターネット<URL: http://www.viewtry.com/>
【発明の概要】
【発明が解決しようとする課題】
【０００４】
アクセサリ等を販売する電子商取引サイト等に掲載されるピアスの画像は、ピアスが水平な台に置かれた状態で撮影されている場合が多い。例えば、互いに揺動可能に連結された本体部品と耳に装着するためのフック状の装着部品（フック部品）とからなるピアスの画像を撮影する場合に、本体部品の正面方向が上方に向けられて水平な台に置かれると、耳に装着された状態と比較して、フック部品が本体部品に対して例えば９０度程度回転して、フック部品の前後方向が水平方向に沿った状態で撮影される。即ち、ピアスの画像は、実際に耳に装着された状態と異なる状態となるので、このような画像を人物の画像に合成すると、合成された画像は不自然なものとなり、ユーザに違和感を生じさせる。【０００５】
そこで本発明は、ピアスの画像を人物の頭部画像に重畳する際に、実際に頭部の耳に装着された状態により近くすることを目的とする。
【課題を解決するための手段】
【０００６】
上記課題を解決するために、本発明の一形態に係る画像処理装置は、人の耳に装着するためのフック部品を含むピアスが表されたピアス画像を取得するピアス画像取得手段と、少なくとも耳が表された領域を含む頭部画像を取得する頭部画像取得手段と、ピアス画像におけるフック部品の先端方向を特定するピアス画像特定手段と、頭部画像における頭部の後方を特定する頭部画像特定手段と、ピアス画像における先端方向が頭部画像における頭部の後方を向くように、ピアス画像を頭部画像に重畳されるように表示するために、ピアス画像及び頭部画像を出力する出力手段と、を備える。【０００７】
本発明の一形態に係る画像処理方法は、コンピュータにより実行される画像処理方法であって、人の耳に装着するためのフック部品を含むピアスが表されたピアス画像、及び少なくとも耳が表された領域を含む頭部画像を取得する取得ステップと、ピアス画像におけるフック部品の先端方向を特定するピアス画像特定ステップと、頭部画像における頭部の後方を特定する頭部画像特定ステップと、ピアス画像における先端方向が頭部画像における頭部の後方を向くように、ピアス画像を頭部画像に重畳されるように表示するために、ピアス画像及び頭部画像を出力する出力ステップと、を有する。【０００８】
本発明の一形態に係る画像処理プログラムは、コンピュータに、人の耳に装着するためのフック部品を含むピアスが表されたピアス画像を取得するピアス画像取得機能と、少なくとも耳が表された領域を含む頭部画像を取得する頭部画像取得機能と、ピアス画像におけるフック部品の先端方向を特定するピアス画像特定機能と、頭部画像における頭部の後方を特定する頭部画像特定機能と、ピアス画像における先端方向が頭部画像における頭部の後方を向くように、ピアス画像を頭部画像に重畳されるように表示するために、ピアス画像及び頭部画像を出力する出力機能と、を実現させる。【０００９】
本発明の一形態に係るコンピュータ読み取り可能な記録媒体は、画像処理プログラムを記憶するコンピュータ読み取り可能な記録媒体であって、コンピュータに、人の耳に装着するためのフック部品を含むピアスが表されたピアス画像を取得するピアス画像取得機能と、少なくとも耳が表された領域を含む頭部画像を取得する頭部画像取得機能と、ピアス画像におけるフック部品の先端方向を特定するピアス画像特定機能と、頭部画像における頭部の後方を特定する頭部画像特定機能と、ピアス画像における先端方向が頭部画像における頭部の後方を向くように、ピアス画像を頭部画像に重畳されるように表示するために、ピアス画像及び頭部画像を出力する出力機能と、を実現させる。【００１０】
上記形態によれば、ピアス画像におけるピアスのフック部品の先端方向が頭部画像における頭部の後方を向くように、ピアス画像を頭部画像に重畳されるように表示するために、ピアス画像及び頭部画像を出力されるので、ピアスが実際に耳に装着された状態により近い画像を表示させることができる。従って、提供された画像は、不自然なものではなく、ユーザにとって違和感の少ないものとなる。【００１１】
別の形態に係る画像処理装置では、ピアス画像が一対のピアスの画像を表している場合に、出力手段は、ピアス画像に表された一対のピアスの画像のうち、ピアス画像におけるフック部品の先端方向が、頭部画像における顔の後方向に略一致しているピアスの画像を頭部画像に重畳させるための画像として選択する。【００１２】
この形態によれば、一対のピアスが表された画像のうち、フック部品の先端方向が頭部画像における頭部の後方向に概ね一致しているピアスの画像が、頭部画像に重畳するための画像として選択されるので、一対のピアスが表されたピアス画像に基づき、ピアスが実際に耳に装着された状態により近い画像が表示される。【００１３】
さらに別の形態に係る画像処理装置では、ピアス画像が一個のピアスの画像を表している場合に、出力手段は、ピアス画像に表されたピアスの画像におけるフック部品の先端方向が、頭部画像における頭部の後方向に略一致している場合には、ピアスの画像を頭部画像に重畳させるための画像として出力し、ピアス画像に表されたピアスの画像におけるフック部品の先端方向が、頭部画像における頭部の後方向に略一致していない場合には、ピアスの画像の左右を反転させた反転画像を頭部画像に重畳させるための画像として出力する。【００１４】
この形態によれば、一個のピアスが表された画像におけるフック部品の先端方向が頭部画像における頭部の後方向と一致していない場合に、ピアスの画像が反転されて頭部画像の前後方向にフック部品の先端方向一致するように処理された反転画像が出力されるので、一個のピアスが表されたピアス画像に基づき、ピアスが実際に耳に装着された状態により近い画像が表示される。【００１５】
さらに別の形態に係る画像処理装置では、フック部品は、耳たぶに貫通させるための先端部を有するフック形状を有し、出力手段は、フック部品における、装着時において耳に接する装着点を特定し、該フック部品における装着点より先端部側の部分の画像が削除されたピアスの画像を頭部画像に重畳させるための画像として出力する。【００１６】
この形態によれば、フック部品における、装着時に耳に隠れて視認できない部分が削除されたピアスの画像が出力されるので、より自然な画像を表示できる。【００１７】
さらに別の形態に係る画像処理装置では、出力手段は、ピアス画像のピアスが表された領域における最も上方の部分を装着点として特定する。この形態によれば、ピアスの画像における装着点が適切且つ容易に特定される。【００１８】
さらに別の形態に係る画像処理装置では、ピアス画像特定手段は、ピアス画像におけるピアスが表された領域の最上点と、該最上点から所定寸法下方に位置する点とを結ぶ線分により、ピアスが表された領域が分割された場合に、装着部品の方向の特定を実施し、線分により、ピアスが表された領域が分割されなかった場合に、装着部品の方向の特定を実施しない。【００１９】
ピアス画像を頭部画像に重畳して自然な画像を表示させるために、耳に装着するための部品が左右非対称なフック部品である場合に、その方向の判定の必要性が大きい。この形態によれば、ピアスが表された領域が線分により分割された場合には、ピアス画像のピアスがフック部品を有することが判定される。これにより、フック部品の方向判定の要否が適切に判定される。【００２０】
さらに別の形態に係る画像処理装置では、出力手段は、ピアスのフック部品が装着される部分の特徴を示すテンプレートを用いて頭部画像を探索することにより、頭部画像におけるフック部品が装着される部分を特定し、フック部品が頭部画像におけるフック部品が装着される部分に位置するように、ピアス画像を頭部画像に重畳する。【００２１】
この形態によれば、頭部画像におけるピアスが装着される部分が精度よく特定されるので、ピアスの画像が適切な位置に重畳される。
【発明の効果】
【００２２】
本発明の一側面によれば、ピアスの画像を人物の頭部画像に重畳する際に、実際に頭部の耳に装着された状態により近くすることが可能となる。
【図面の簡単な説明】
【００２３】
【図１】画像処理装置の機能構成を示すブロック図である。
【図２】画像処理装置のハードウェア構成を示す図である。
【図３】画像処理装置が電子商取引サイトに適用された場合等において、表示される画面の例を示す図である。
【図４】図４（ａ），（ｂ）は、ピアスが実際に耳に装着された状態を示す図である。図４（ｃ）は、ピアス画像が頭部画像に重畳された状態の好ましい例及び悪い例を示す図である。
【図５】図５（ａ），（ｂ）及び（ｃ）は、装着部品のタイプの判定の例を示す図である。
【図６】図６（ａ），（ｂ）及び（ｃ）は、装着部品のタイプの判定の例を示す図である。
【図７】装着部品の方向の判定の例を示す図である。
【図８】図８（ａ）〜（ｄ）は、テンプレートを用いたマッチング処理に先立つ前処理を示す図である。図８（ｅ）は、ピアスホールの特徴を示すテンプレートを示す図である。
【図９】合成画像の例を示す図である。
【図１０】画像処理装置における画像処理方法の処理内容の例を示すフローチャートである。
【図１１】画像処理プログラムの構成を示す図である。
【発明を実施するための形態】
【００２４】
以下、添付図面を参照しながら本発明の実施形態を詳細に説明する。なお、図面の説明において同一又は同等の要素には同一の符号を付し、重複する説明を省略する。
【００２５】
図１は、本実施形態に係る画像処理装置１の機能的構成を示すブロック図である。画像処理装置１は、人物の耳に装着されるピアスの画像を、耳の部分を少なくとも含む人物の画像に合成して出力する装置である。ピアスは、人に耳に装着するための装着部品を含む。本実施形態の画像処理装置１は、例えばピアスを販売する電子商取引サイトに適用できる。
【００２６】
本実施形態の画像処理装置１は、図１に示すように、機能的には、ピアス画像取得部１１（ピアス画像取得手段）、頭部画像取得部１２（頭部画像取得手段）、ピアス画像特定部１３（ピアス画像特定手段）、頭部画像特定部１４（頭部画像特定手段）、重畳部１５（出力手段）及び出力部１６（出力手段）、を含む。また、画像処理装置１の各機能部１１〜１６は、ピアス画像記憶部２１、及び頭部画像記憶部２２といった記憶手段にアクセス可能である。なお、画像処理装置１は、ユーザ端末とネットワークを介して通信可能なサーバに構成することができる。また、画像処理装置１が、スマートフォン及びパーソナルコンピュータといった装置に構成されることとしてもよい。
【００２７】
図２は、画像処理装置１のハードウェア構成図である。画像処理装置１は、物理的には、図２に示すように、ＣＰＵ１０１、ＲＡＭ及びＲＯＭといったメモリにより構成される主記憶装置１０２、ハードディスク等で構成される補助記憶装置１０３、ネットワークカード等で構成される通信制御装置１０４、入力デバイスであるキーボード、マウス等の入力装置１０５、ディスプレイ等の出力装置１０６などを含むコンピュータシステムとして構成されている。なお、画像処理装置１がサーバに構成される場合には、画像処理装置１は、入力装置１０５，出力装置１０６を含まなくてもよい。
【００２８】
図１に示した各機能は、図２に示すＣＰＵ１０１、主記憶装置１０２等のハードウェア上に所定のコンピュータソフトウェア（画像処理プログラム）を読み込ませることにより、ＣＰＵ１０１の制御のもとで通信制御装置１０４、入力装置１０５、出力装置１０６を動作させるとともに、主記憶装置１０２や補助記憶装置１０３におけるデータの読み出し及び書き込みを行うことで実現される。処理に必要なデータやデータベースは主記憶装置１０２や補助記憶装置１０３内に格納される。
【００２９】
まず、画像処理装置１の機能部の説明に先立って、ピアス画像記憶部２１及び頭部画像記憶部２２を説明する。ピアス画像記憶部２１は、ピアスが表されたピアス画像を記憶している記憶手段である。ピアス画像は、例えば、電子商取引サイトにおいて販売されるピアスを表す画像である。ピアス画像記憶部２１は、予めピアス画像を記憶していることとしてもよい。
【００３０】
頭部画像記憶部２２は、少なくとも耳が表された領域を含む頭部が表された頭部画像を記憶している記憶手段である。頭部画像は、予め記憶されていることとしてもよいし、ユーザによりアップロードされることとしてもよい。また、頭部画像は、リアルタイムに取得されるユーザの頭部を表した画像であってもよい。
【００３１】
図３は、例えば、画像処理装置１が電子商取引サイトに適用された場合等において、表示される画面Ｄの例を示す図である。図３に示すように、画像処理装置１は、ピアス画像記憶部２１から取得した複数のピアス画像ＰＩ１，ＰＩ２及び頭部画像記憶部２２から取得した頭部画像ＰＭを画面Ｄに出力する。
【００３２】
ここで、図４を参照して、ピアスが実際に耳に装着された状態について説明する。図４（ａ），（ｂ）は、ピアスＩＡが耳Ｅに装着された状態を示しており、図４（ａ）は、頭部側方から見た図であり、図４（ｂ）は、頭部前方から見た図である。図４（ｃ）は、ピアス画像が頭部画像に重畳された状態の好ましい例及び悪い例を示す図である。
【００３３】
図４（ａ），（ｂ）に示すように、ピアスＩＡを耳に装着するためのフック部品Ｆは、耳の前側から後側に向けて先端部が貫通される。一方、図３に示すように、装着時におけるフック部品の前後方向は、ピアス画像ＰＩ１において、本体部品に対して約９０度回転されて、左右方向に表される。このように、ピアス画像におけるピアスの本体部品とフック部品との相対的な位置は、実際の装着状態とは異なる。
【００３４】
このように撮影されることが多いピアス画像を、図４（ｃ）のように、例えば右耳Ｅが表された頭部画像に重畳する場合には、フック部品の先端方向が左方向を向いているピアス画像ＩＡＣを重畳することが好ましく、フック部品の先端方向が右方向を向いているピアス画像ＩＡＷを重畳することは好ましくない。ピアス画像ＩＡＷに表されるピアスの本体部分及びフック部品のカーブ部分は、実際の装着状態より後方に位置しており、ピアス画像ＩＡＷが重畳された画像は不自然なものとなる。
【００３５】
続いて、画像処理装置１の機能部を説明する。ピアス画像取得部１１は、ピアス画像を取得する部分である。ピアスは、人の耳に装着されて使用されるアクセサリの一種であって、耳に装着するための装着部品を含む。装着部品には、フック型及びスタッズ型等の形状のバリエーションがある。ピアスが水平面の上に置かれたときにおいて、スタッズ型の装着部品は左右対称の形状となるのが一般的であるのに対して、フック型の装着部品であるフック部品は左右非対称の形状となる。従って、ピアス画像におけるフック部品は、左右非対称に表される。ピアス画像取得部１１は、ピアス画像記憶部２１からピアス画像を取得する。
【００３６】
頭部画像取得部１２は、頭部画像記憶部２２から頭部画像を取得する部分である。頭部画像は、予め記憶された画像であってもよいし、ユーザによりアップロードされた、ユーザの頭部等が撮影された画像であってもよい。
【００３７】
ピアス画像特定部１３は、ピアス画像におけるフック部品の先端方向を特定する部分である。前述したとおり、ピアスの装着部品がフック型である場合に、ピアス画像において装着部品が左右非対称に表されるので、ピアス画像特定部１３は、装着部品の方向の判定に先立って、ピアス画像のピアスの装着部品がフック部品であるか、スタッズ型の部品であるかを判定する。
【００３８】
図５は、ピアス画像特定部１３による装着部品のタイプの判定の例を示す図である。図５（ａ）に示すように、ピアス画像特定部１３は、図３に示されるピアス画像ＰＩ１から、周知の画像処理技術を用いて、ピアスが表された領域ＩＡを抽出する。次に、図５（ｂ）に示すように、ピアス画像特定部１３は、ピアス画像におけるピアスが表された領域ＩＡの最上点と、該最上点から所定寸法下方に位置する点とを結ぶ線分ＬＡを挿入する。そして、図５（ｃ）に示すように、線分ＬＡによりピアスが表された領域ＩＡが、領域ＩＡ１及びＩＡ２の２つの領域に分割された場合に、ピアス画像特定部１３は、ピアス画像ＰＩ１に表されたピアスの装着部品がフック部品であると判定し、フック部品の先端部の方向の判定を実施することとする。
【００３９】
図６は、ピアス画像特定部１３による装着部品のタイプの判定の他の例を示す図である。図６（ａ）に示すように、ピアス画像特定部１３は、図３に示されるピアス画像ＰＩ２から、周知の画像処理技術を用いて、ピアスが表された領域ＩＢを抽出する。次に、図６（ｂ）に示すように、ピアス画像特定部１３は、ピアス画像におけるピアスが表された領域ＩＢの最上点と、該最上点から所定寸法下方に位置する点とを結ぶ線分ＬＢを挿入する。そして、図６（ｃ）の領域ＩＢＸに示すように、線分ＬＢによりピアスが表された領域ＩＢが、分割されなかった場合に、ピアス画像特定部１３は、ピアス画像ＰＩ２に表されたピアスの装着部品が、例えばスタッズ型といった左右対称形状のものであると判定し、装着部品の方向の判定を実施しないこととする。
【００４０】
線分ＬＡ，ＬＡの長さは、例えば、フック部品を構成するワイヤの太さ以上、一般的な略円形状のスタッズ型装着部品の直径以下に設定される。このように装着部品のタイプの判定が実施されることにより、装着部品の方向判定の要否が適切に判定される。
【００４１】
装着部品がフック部品であると判定された場合に、ピアス画像特定部１３は、フック部品の先端方向の判定を実施する。具体的には、ピアス画像は上下及び左右といった方向が特定されていて、且つピアスは装着部を上方向に向けて撮影されていることが一般的であるので、ピアス画像特定部１３は、耳への装着時におけるフック部品の前方向及び後方向（先端方向）のそれぞれが、ピアス画像において左方向及び右方向のいずれに対応しているかを判定する。
【００４２】
図７は、装着部品の方向の判定の例を示す図である。図７には、領域ＩＡ１及び領域ＩＡ２の２領域に分割されたピアスの画像が示されている（図５（ｃ））。ピアス画像特定部１３は、分割された領域ＩＡ１及び領域ＩＡ２のそれぞれの面積を算出し、面積が小さい方の領域ＩＡ２をフック部品の先端部ＩＰ２を含む領域と判定し、面積が大きいほうの領域ＩＡ１を本体部品Ｂ１，Ｂ２を含む領域と判定する。
【００４３】
ピアス画像特定部１３は、ピアスの本体部品を含む領域ＩＡ１に対して装着部品の先端部ＩＰ２が位置する方向を、フック部品の先端方向ＤＢと判定する。一方、ピアス画像特定部１３は、先端部ＩＰ２に対してピアスの本体部品を含む領域ＩＡ１の位置する方向を、装着時におけるフック部品の前方向ＤＦと判定する。そして、ピアス画像特定部１３は、装着時におけるフック部品の先端方向ＤＢ及び前方向ＤＦのそれぞれが、ピアス画像において左方向ＤＬ及び右方向ＤＲに対応していると判定する。
【００４４】
頭部画像特定部１４は、頭部画像における頭部の後方を特定する部分である。具体的には、頭部画像ＰＭは上下及び左右といった方向が特定されているので、頭部画像特定部１４は、頭部の前方向及び後方向のそれぞれが、頭部画像において左方向及び右方向のいずれに対応しているかを判定する。この判定は、周知の画像解析技術により実施できる。例えば、頭部画像特定部１４は、頭部画像ＰＭから目及び耳が表された領域を抽出し、それらの位置関係に基づき顔の方向を判定できる。例えば、頭部画像において、耳の領域が目の領域より右側にあれば、頭部の後方は、頭部画像において左側を向いている。頭部画像において、耳の領域が目の領域より左側にあれば、頭部の後方は、頭部画像において右側を向いている。
【００４５】
重畳部１５は、ピアス画像におけるフック部品の先端方向が、頭部画像における頭部の後方向に略一致するように、ピアス画像を頭部画像に重畳する部分である。重畳部１５は、画像の重畳に先立って、頭部画像におけるピアスが装着される部分を特定する。
【００４６】
重畳部１５は、ピアスが装着される部分の特徴を示すテンプレートを用いて頭部画像を探索（マッチング）することにより、頭部画像におけるピアスが装着される部分を特定することができる。図８は、ピアスが装着される部分を特定する処理の例を説明するための図である。図８（ａ）〜（ｄ）は、テンプレートを用いたマッチング処理に先立つ前処理を示す。まず、重畳部１５は、頭部画像からピアスが装着される部位の画像を抽出する。図８（ａ）の例では、ピアスが装着される耳の部分の画像が抽出されている。続いて、図８（ｂ）に示すように、重畳部１５は、周知の画像処理技術により、耳の部分の画像に対してエッジ抽出処理を行う。次に、重畳部１５は、図８（ｃ）に示すような周知の画像処理技術である膨張処理、及び図８（ｄ）に示すような収縮処理を行い、ピアスが装着されるピアスホールを顕在化させる。なお、膨張処理及び収縮処理は、画像の特性に応じて、繰り返して実施される。
【００４７】
そして、重畳部１５は、図８（ｅ）に示すような、ピアスホールの特徴を示すテンプレートを用いて、ピアスホールが顕在化された頭部画像に対するマッチング処理を行うことにより、ピアスが装着される部分を特定する。
【００４８】
なお、重畳部１５は、例えば図８（ａ）に示すような、抽出された耳の部分の画像において、予め設定された相対的な位置を、ピアスが装着される位置として特定してもよい。重畳部１５は、抽出された耳画像の下端から耳画像の高さの１０％及び左端から耳画像の幅の３０％の位置をピアスが装着される位置として特定できる。
【００４９】
重畳部１５は、ピアス画像が、ピアス画像ＰＩ１のように一対のピアスの画像を表している場合に（図３参照）、ピアス画像に表された一対のピアスの画像のうち、ピアス画像におけるフック部品の先端方向が、頭部画像における頭部の後方向に略一致しているピアスの画像を選択し、選択したピアスの画像を頭部画像に重畳する。例えば、頭部の前方向及び後方向のそれぞれが頭部画像の右方向及び左方向に対応する場合には、重畳部１５は、例えば図７に示されるような、フック部品の前方向ＤＦ及び先端方向ＤＢがピアス画像における右方向ＤＲ及び左方向ＤＬに対応するピアスの画像を選択して、頭部画像に重畳する。
【００５０】
また、重畳部１５は、ピアス画像が一個のピアスの画像を表している場合に、ピアス画像に表されたピアスの画像におけるフック部品の先端方向が、頭部画像における頭部の後方向に略一致している場合には、ピアスの画像を頭部画像に重畳する。
【００５１】
一方、重畳部１５は、ピアス画像に表されたピアスの画像におけるフック部品の先端方向が、頭部画像における頭部の後方向に略一致していない場合には、ピアスの画像の左右を反転させた反転画像を頭部画像に重畳する。例えば、頭部の前方向及び後方向のそれぞれが頭部画像の左方向及び右方向に対応しており、且つ例えば図７に示されるような、フック部品の前方向ＤＦ及び先端方向ＤＢがピアス画像における右方向ＤＲ及び左方向ＤＬに対応するピアス１個の画像がピアス画像に表されていた場合には、重畳部１５は、ピアスの画像の左右を反転させた反転画像を頭部画像に合成する。
【００５２】
図９は、重畳部１５により重畳された画像の例を示す図である。重畳部１５は、ピアス画像を頭部画像に重畳するに際して、フック部品における、装着時において耳に接する装着点を特定し、その装着点より先端部側の部分の画像が削除されたピアスの画像を頭部画像に重畳する。図７に示すように、フック部品は、耳たぶに貫通させるための先端部ＩＰ２を有する。このような場合には、図９に示すように、重畳部１５は、装着点ＰＴより先端部側の部分ＩＰ２の画像が削除されたピアスの画像ＩＡ１を頭部画像に重畳する。これにより、フック形状の装着部品における、装着時に耳に隠れて視認できない部分が削除されたピアスの画像が頭部画像に重畳されるので、より自然な画像を出力できる。なお、重畳部１５は、ピアスの画像における最も上方の部分を装着点ＰＴとして特定できる。
【００５３】
出力部１６は、ピアス画像における先端方向が頭部画像における頭部の後方を向くように、ピアス画像を頭部画像に重畳されるように表示するために、ピアス画像及び頭部画像を出力する部分である。具体的には、出力部１６は、重畳部１５により重畳された画像を出力する。出力部１６は、例えば、画像をユーザ端末に出力する。また、出力部１６は、画像をディスプレイに出力することとしてもよい。
【００５４】
次に、図１０を参照して、本実施形態の画像処理方法について説明する。図１０は、図１に示した画像処理装置１における画像処理方法の処理内容の例を示すフローチャートである。
【００５５】
まず、ピアス画像取得部１１は、ピアス画像記憶部２１からピアス画像を取得する。また、頭部画像取得部１２は、頭部画像記憶部２２から頭部画像を取得する（Ｓ１）。
【００５６】
次に、ピアス画像特定部１３は、ピアス画像のピアスの装着部品がフック型であるか否かを判定する（Ｓ２）。装着部品がフック型であると判定された場合には、処理手順はステップＳ３に進められる。一方、装着部品がフック型であると判定されなかった場合には、処理手順はステップＳ６に進められる。
【００５７】
ステップＳ３において、ピアス画像特定部１３は、耳への装着時におけるフック部品の先端方向が、ピアス画像において左方向及び右方向のいずれに対応しているかを判定する（Ｓ３）。また、頭部画像特定部１４は、頭部の後方向が、頭部画像において左方向及び右方向のいずれに対応しているかを判定する（Ｓ４）。なお、ステップＳ３及びＳ４の処理は、どちらが先に実施されてもよいし、同時であってもよい。
【００５８】
続いて、重畳部１５は、ピアス画像におけるフック部品の先端方向が、頭部画像における後方向に略一致するように、ピアス画像を頭部画像に重畳する（Ｓ５）。ステップＳ５において、重畳部１５は、例えば、ピアスが装着される部分の特徴を示すテンプレートを用いて頭部画像を探索（マッチング）することにより、頭部画像におけるピアスが装着される部分を特定する処理を実施してもよい。
【００５９】
一方、ステップＳ２において装着部品がフック型であると判定されなかった場合には、ステップＳ６において、装着部品の方向の判定を実施することなく、重畳部１５は、ピアス画像を頭部画像に重畳して合成画像を生成する（Ｓ６）。そして、ステップＳ７において、出力部１６は、重畳部１５によりピアス画像が頭部画像に重畳された画像を出力する（Ｓ７）。
【００６０】
次に、図１１を参照して、コンピュータを画像処理装置１として機能させるための画像処理プログラムを説明する。画像処理プログラム１Ｐは、メインモジュールＰ１０、ピアス画像取得モジュールＰ１１、頭部画像取得モジュールＰ１２、ピアス画像特定モジュールＰ１３、頭部画像特定モジュールＰ１４、合成モジュールＰ１５及び出力モジュールＰ１６を備える。
【００６１】
メインモジュールＰ１０は、画像処理を統括的に制御する部分である。ピアス画像取得モジュールＰ１１、頭部画像取得モジュールＰ１２、ピアス画像特定モジュールＰ１３、頭部画像特定モジュールＰ１４、合成モジュールＰ１５及び出力モジュールＰ１６を実行することにより実現される機能はそれぞれ、図１に示される画像処理装置１のピアス画像取得部１１、頭部画像取得部１２、ピアス画像特定部１３、頭部画像特定部１４、重畳部１５及び出力部１６の機能と同様である。
【００６２】
画像処理プログラム１Ｐは、例えば、ＣＤ−ＲＯＭやＤＶＤ、ＲＯＭ等の記憶媒体１Ｄまたは半導体メモリによって提供される。また、画像処理プログラム１Ｐは、搬送波に重畳されたコンピュータデータ信号として通信ネットワークを介して提供されてもよい。
【００６３】
以上説明した本実施形態の画像処理装置１、画像処理方法、画像処理プログラム１Ｐ及びそのプログラムを記憶したコンピュータ読み取り可能な記録媒体によれば、ピアス画像におけるピアスのフック部品の先端方向が頭部画像における頭部の後方を向くように、ピアス画像を頭部画像に重畳されるように表示するために、ピアス画像及び頭部画像を出力されるので、ピアスが実際に耳に装着された状態により近い画像を表示させることができる。従って、提供された画像は、不自然なものではなく、ユーザにとって違和感の少ないものとなる。
【００６４】
以上、本発明をその実施形態に基づいて詳細に説明した。しかし、本発明は上記実施形態に限定されるものではない。本発明は、その要旨を逸脱しない範囲で様々な変形が可能である。
【符号の説明】
【００６５】
１…画像処理装置、１１…ピアス画像取得部、１２…頭部画像取得部、１３…ピアス画像特定部、１４…頭部画像特定部、１５…重畳部、１６…出力部、２１…ピアス画像記憶部、２２…頭部画像記憶部、２３…アイテム情報記憶部、１Ｄ…記憶媒体、１Ｐ…画像処理プログラム、Ｐ１０…メインモジュール、Ｐ１１…ピアス画像取得モジュール、Ｐ１２…頭部画像取得モジュール、Ｐ１３…ピアス画像特定モジュール、Ｐ１４…頭部画像特定モジュール、Ｐ１５…合成モジュール、Ｐ１６…出力モジュール。
【図１】
2014103048.tif 000003
【図２】
2014103048.tif 000004
【図３】
2014103048.tif 000005
【図４】
2014103048.tif 000006
【図５】
2014103048.tif 000007
【図６】
2014103048.tif 000008
【図７】
2014103048.tif 000009
【図９】
2014103048.tif 000010
【図１０】
2014103048.tif 000011
【図１１】
2014103048.tif 000012
【図８】
2014103048.tif 000013
【国際調査報告】
2014103048.tif 000014
2014103048.tif 000015